(57)【要約】【課題】  デジタルカメラの画面表示内容を外部表示装置に表示させる場合、すべて同じ表示内容が同期されていた。【解決手段】  表示処理装置２４において、画像送信部４２は撮像装置１２から撮影画像を受信して画像格納部３８に格納し、指示取得部３２は撮像装置１２から制御情報を取得し、画像取得部３４は制御情報に応じて撮影画像を撮像装置１２へ送信する。表示処理部４０は画像取得部３４が撮像装置１２へ送信する画像をスクリーン表示する。判定部３６は制御情報に基づき、撮像装置１２の表示形態が所定の形態である場合にその画像を表示処理部４０に表示処理させる。【選択図】        図２
2005094570.tif 000002
【特許請求の範囲】
【請求項１】
撮像装置の画面へ表示させる撮影画像の表示形態を示す制御情報をネットワーク経由で取得するステップと、
前記制御情報の内容が所定の判定基準を満たす場合に、前記撮像装置の画面における表示内容と外部表示装置の画面における表示内容を同期させるべきことを確定するステップと、
前記確定を契機として、前記撮影画像を前記外部表示装置の画面へ表示させるステップと、
を含むことを特徴とする撮影画像表示方法。
【請求項２】
撮像装置の画面へ表示させる撮影画像の表示形態を示す制御情報をネットワーク経由で取得する指示取得部と、
前記撮影画像を前記撮像装置からネットワーク経由で取得する画像取得部と、
前記制御情報に示される表示形態が前記撮像装置の画面における表示内容を前記撮像装置の外部に設けられた画面へ同期させるべき所定の形態であるか否かを判定する判定部と、
前記所定の形態であると判定された場合に、前記外部に設けられた画面に前記撮像装置の画面における表示内容を同期させる形で前記撮影画像を表示させる表示処理部と、
を含むことを特徴とする表示処理装置。
【請求項３】
前記判定部は、前記制御情報に示される表示形態が画像撮影の確定時になされる撮影画像の全画面表示であった場合に、前記制御情報に示される表示形態が前記所定の形態であると判定することを特徴とする請求項２に記載の表示処理装置。
【請求項４】
前記判定部は、前記制御情報に示される表示形態が画像再生時における全画面表示であった場合に、前記制御情報に示される表示形態が前記所定の形態であると判定することを特徴とする請求項２または３に記載の表示処理装置。
【請求項５】
前記指示取得部が取得する制御情報には、前記撮影画像のファイルにおけるデータ領域の範囲を指定する形で画像の送信を要求する指示が含まれており、
前記判定部は、前記データ領域を指定する指示に基づいて前記撮像装置における表示形態が前記所定の形態であるか否かを判定することを特徴とする請求項２から４のいずれかに記載の表示処理装置。
【発明の詳細な説明】
【技術分野】
【０００１】
本発明は、撮影画像表示方法および表示処理装置に関し、特にデジタルカメラの撮影画像を外部表示装置へ表示させる技術に関する。
【背景技術】
【０００２】
近年、デジタルカメラの一機能として、デジタルカメラをパーソナルコンピュータやモニタ等、他の電子機器と接続できるネットワーク機能の開発が進んでいる。特に、ＩＥＥＥ８０２．１１等のいわゆる無線ＬＡＮ方式を用いれば、従来のような配線なしに他の機器とネットワーク接続させることができる。その上、撮影のたびに撮影画像を画像ファイルサーバへ送信する方式を採れば、デジタルカメラ内のメモリ容量を低減できるメリットもある。こうしたデジタルカメラのネットワーク機能を利用する形態としては、液晶プロジェクタ等の外部表示装置へ撮影画像を転送して表示させる利用方法が考えられる。ここで、発表用コンピュータにおける画面の表示内容を複数の閲覧用コンピュータの画面に同期させる技術が知られている（例えば、特許文献１参照）。
【特許文献１】特開２０００−６６９６８号公報
【発明の開示】
【発明が解決しようとする課題】
【０００３】
しかしながら、現状ではデジタルカメラの内蔵画面における表示内容をそのままＮＴＳＣ方式等により外部表示装置へ転送して同期させているにすぎず、したがって本来外部表示装置へ表示すべきでない内容まで同期的に表示されてしまう。特に、発表や会議において撮影画像を表示させるような状況では、デジタルカメラの操作中における画面内容のような発表者が望まない内容まで外部へ表示されてしまう。
【０００４】
本発明はこうした状況に鑑みなされたものであり、その目的はデジタルカメラにより撮影された画像の外部表示に関する利便性を高める点にある。
【課題を解決するための手段】
【０００５】
本発明のある態様は、撮影画像表示方法である。この方法は、撮像装置の画面へ表示させる撮影画像の表示形態を示す制御情報をネットワーク経由で取得するステップと、制御情報の内容が所定の判定基準を満たす場合に、撮像装置の画面における表示内容と外部表示装置の画面における表示内容を同期させるべきことを確定するステップと、確定を契機として、撮影画像を外部表示装置の画面へ表示させるステップと、を含む。
【０００６】
本態様によれば、撮像装置と外部表示装置とで画面表示内容を同期させる場合に、撮像装置の表示内容が変更されても、その表示形態が所定の形態になるまでは同期させるべき内容が確定されない。したがって、外部表示装置への表示に適した内容だけを同期させることができる。また、撮像装置における作業中の画面のように外部へ表示させる必要のない内容は外部表示装置に表示されない。
【０００７】
本発明の別の態様は、表示処理装置である。この装置は、撮像装置の画面へ表示させる撮影画像の表示形態を示す制御情報をネットワーク経由で取得する指示取得部と、撮影画像を撮像装置からネットワーク経由で取得する画像取得部と、制御情報に示される表示形態が撮像装置の画面における表示内容を撮像装置の外部に設けられた画面へ同期させるべき所定の形態であるか否かを判定する判定部と、所定の形態であると判定された場合に、外部に設けられた画面に撮像装置の画面における表示内容を同期させる形で撮影画像を表示させる表示処理部と、を含む。
【０００８】
ここで、この表示処理装置は、撮像装置から撮影画像を取得してこれを保管する画像ファイルサーバと表示装置とを組み合わせた形で構成されてもよい。この場合、画像ファイルサーバはモニタケーブルによる接続を介して表示装置を直接制御してもよいし、表示装置と画像ファイルサーバとをネットワーク接続して撮影画像と制御情報を送信することにより全体的に表示処理装置として機能させてもよい。これらの場合、指示取得部、画像取得部、判定部および表示処理部のそれぞれが、画像ファイルサーバと表示装置のいずれに設けられてもよいし、画像ファイルサーバと表示装置の双方に設けられてもよい。さらに、表示処理装置に含まれる各機能の一部を撮像装置にもたせる構成としてもよい。
【０００９】
本態様においても、撮像装置の表示内容が変更されてもその表示形態が所定の形態になるまでは外部表示装置へ同期させるべき内容が確定されない。したがって、外部表示装置への表示に適した内容だけを同期させることができ、撮像装置における作業中の画面のように外部へ表示させる必要のない内容は外部表示装置に表示されない。
【００１０】
なお、以上の構成要素の任意の組合せや、本発明の構成要素や表現を方法、装置、システム、コンピュータプログラム、プログラムを格納した記録媒体、データ構造などの間で相互に置換したものもまた、本発明の態様として有効である。
【発明の効果】
【００１１】
本発明によれば、撮像装置により撮影された画像の外部表示に関する利便性を高めることができる。
【発明を実施するための最良の形態】
【００１２】
（第１実施形態）
本実施形態の画像表示システムは、撮像装置と表示処理装置で構成され、撮像装置は撮影で得られた画像を表示処理装置へ転送し、表示処理装置はこれを保管する。これら撮像装置と表示処理装置はともに表示画面を有し、撮像装置の画面表示内容を表示処理装置の画面に同期的に表示させることができる。このとき、撮像装置の画面で複数の撮影画像のサムネイルをマルチ表示させる場合は表示を同期させず、撮影画像を撮像装置に全画面表示するときだけ表示処理装置の画面にも同じ画像を同期表示させる。これにより、撮像装置において画像選択といった操作中の表示内容等、外部の画面に表示させたくない内容や未確定の情報が表示処理装置へ表示されず、外部の画面表示に適した内容だけを同期させることができる。
【００１３】
図１は、画像表示システム１０の基本的なネットワーク構成を示す。撮像装置１２はネットワーク通信機能を有するデジタルカメラであり、表示処理装置２４は同じくネットワーク通信機能を有するコンピュータである。表示処理装置２４は、画像ファイルサーバとしての機能と表示装置としての機能を兼ね備える。撮像装置１２と表示処理装置２４は、IEEE802.11等の無線ＬＡＮ方式でアドホックモードによりネットワーク接続される。撮像装置１２は、撮影によって得られた画像を表示処理装置２４へ転送し、表示処理装置２４はこれを保管する。撮像装置１２は、画像を再生する場合に画像の送信要求を表示処理装置２４へ送り、表示処理装置２４は要求のあった画像を撮像装置１２へ転送する。撮像装置１２は表示処理装置２４から受け取った画像を再生して画面に表示する。画像の表示形態は、１枚の画像を画面一杯のサイズで表示させる全画面表示と、複数の画像のサムネイルを画面内に配置して表示させるマルチ表示とをここでは想定する。
【００１４】
撮像装置１２および表示処理装置２４の各構成は、ハードウェア的には、ＣＰＵ、メモリ、通信モジュール、ＬＣＤ、その他のＬＳＩで実現でき、ソフトウェア的にはメモリにロードされた画像処理機能やデータ送受信機能のあるプログラムなどによって実現される。図２以降に記載した機能ブロックがハードウェアのみ、ソフトウェアのみ、またはそれらの組合せと連携によっていろいろな形で実現できることは、当業者には理解されるところである。
【００１５】
図２は、表示処理装置２４の構成を示す機能ブロック図である。表示処理装置２４は、通信部３０、指示取得部３２、画像取得部３４、判定部３６、画像格納部３８、表示処理部４０、画像送信部４２を含む。各部は、通信部３０を介して外部、特に撮像装置１２とデータを送受信する。
【００１６】
画像取得部３４は、撮像装置１２から撮影のたびにその撮影画像を取得して画像格納部３８に蓄積する。指示取得部３２は、撮像装置１２においてユーザから撮影画像の再生指示がなされたときに、その撮像装置１２の画面へ表示させるべき撮影画像の表示形態を示す制御情報を撮像装置１２から取得する。制御情報には、要求内容を示すイベント通知と、その引数として撮影画像のファイル名とそのファイルにおけるデータ領域の範囲が含まれている。引数には例えば、画像ファイルの先頭から何バイト分のデータを送信すべきかの範囲が示されている。画像ファイルにおいてヘッダ近辺の領域には、その画像をサイズ縮小したいわゆるサムネイル画像が格納されている。
【００１７】
制御情報において、画像ファイルが全部包含されるバイト数が示されていれば、撮像装置１２での表示形態として全画面表示が示唆されていることになる。制御情報において、画像ファイルの一部のみが包含されるバイト数が示されていれば、撮像装置１２における表示形態としてサムネイル表示が示唆されていることになる。画像送信部４２は、制御情報に示された撮影画像のうち、制御情報に示されたデータ領域を画像格納部３８から読み出して撮像装置１２へ送信する。
【００１８】
判定部３６は、制御情報に示される表示形態が撮像装置１２の画面における表示内容を当該表示処理装置２４へ同期させるべき所定の形態であるか否かを判定する。この判定の基準は、撮像装置１２が撮影モードにあるか再生モードにあるかによって異なる。撮影モードの場合、撮影内容の確定時に確認のためなされる撮影画像の全画面表示が制御情報に示唆された場合に、その表示形態が同期させるべき形態であると判定する。再生モードの場合、全画面再生表示が制御情報に示唆された場合に、その表示形態が同期させるべき形態であると判定する。すなわち、制御情報におけるデータ領域を指定する指示に基づいて全画面表示が示唆されているかを判定する。これら以外の表示形態が制御情報に示唆されていた場合、判定部３６は同期させるべきタイミングが確定されていないと判定する。
【００１９】
表示処理部４０は、制御情報に示される表示形態が同期させるべき形態であると判定された場合に、制御情報に示された撮影画像を画像格納部３８から読み出し、これをスクリーンへ表示させる。これにより、撮像装置１２の画面に全画面表示される内容を当該表示処理装置２４のスクリーンに同期的に表示させることができる。
【００２０】
図３は、撮像装置１２の電源投入直後における表示処理装置２４との通信過程と動作モードの決定過程を示す。撮像装置１２の電源を投入すると（Ｓ１０）、撮像装置１２は表示処理装置２４へ接続要求を送信し（Ｓ１２）、これに表示処理装置２４が応答すると（Ｓ１４）、接続が確立される。撮像装置１２の動作モードとして、撮影モードがユーザにより選択されると（Ｓ１６の「撮影モード」）、撮影シーケンスが開始される（Ｓ１８）。ユーザにより再生モードが選択されると（Ｓ１６の「再生モード」）、再生シーケンスが開始される（Ｓ２０）。撮影シーケンスは図４にて説明し、再生シーケンスは図５にて説明する。
【００２１】
図４は、図３のＳ１８における撮影シーケンスを示す。ユーザが撮像装置１２のシャッターボタンを押下すると（Ｓ３０）、撮像装置１２は撮影画像の生成を処理し（Ｓ３２）、ユーザが撮像装置１２のシャッターボタンを押下したままこれを維持する間（Ｓ３４）、撮像装置１２は撮影したポストビューを全画面表示する（Ｓ３６）。ユーザがシャッターボタンの押下を解除し、ＯＫボタンの選択等によりポストビュー表示された画像で撮影を確定させると（Ｓ３８Ｙ）、撮像装置１２はその撮影画像を制御情報とともに表示処理装置２４へ送信する（Ｓ４０）。撮影画像を受信した表示処理装置２４は、これを制御情報にしたがって保存する（Ｓ４２）。制御情報には、撮影画像の保存を指示するイベント通知が含まれており、表示処理装置２４はこの制御情報をもとに、撮像装置１２での表示形態が、撮影内容の確定時に確認のためなされる全画面表示であると判定し（Ｓ４４）、その撮影画像を同期的に表示する（Ｓ４６）。一方、Ｓ３８においてユーザがキャンセルボタンの選択等によりポストビュー表示された画像での撮影を確定させなかった場合（Ｓ３８Ｎ）、Ｓ４０以降をスキップして撮影を終了する。
【００２２】
図５は、図３のＳ２０における再生シーケンスを示す。ユーザがサムネイル表示を指示すると（Ｓ５０）、撮像装置１２は制御情報を表示処理装置２４へ送信し（Ｓ５２）、表示処理装置２４は制御情報に基づいてサムネイル画像を返信し（Ｓ５４）、これを撮像装置１２が受信して表示する（Ｓ５６）。表示処理装置２４は、撮像装置１２に送信する画像を表示処理装置２４にも同期的に表示させるか否かを判定する（Ｓ５８）。ここでは、サムネイル表示が制御情報に示唆されているので、撮像装置１２の表示内容を同期させない。なお、Ｓ５０において複数のサムネイル画像をマルチ表示する指示がなされた場合は、Ｓ５２とＳ５４の処理を画像数の分だけ繰り返す。
【００２３】
サムネイル表示された画像からユーザが一つを選択して全画面表示を指示すると（Ｓ６０）、撮像装置１２は制御情報を表示処理装置２４へ送信し（Ｓ６２）、表示処理装置２４は制御情報に基づいて撮影画像を返信し（Ｓ６４）、これを撮像装置１２が受信して全画面表示する（Ｓ６６）。表示処理装置２４は、撮像装置１２に送信する画像を表示処理装置２４にも同期的に表示させるか否かを判定する（Ｓ６８）。ここでは、全画面表示が制御情報に示唆されているので、撮像装置１２に表示させるべき撮影画像を同期的に表示する（Ｓ７０）。
【００２４】
図６は、画像格納部３８に格納される画像ファイルのデータ構造を示す。画像ファイル８０は、主にヘッダ領域８２、サムネイル領域８４、実データ領域８６で構成される。ヘッダ領域８２には、データサイズ、データ圧縮率、撮影情報等のデータが格納され、サムネイル領域８４にはこの撮影画像のサムネイルが格納される。撮影画像そのものである実データは実データ領域８６に格納される。ここで、制御情報に示される要求データ領域が、（ａ）ように画像ファイル８０の先頭バイトからヘッダ領域８２とサムネイル領域８４を包含した途中のバイトまでの範囲を示す場合、この制御情報はサムネイルの送信要求を示すことがわかる。また、制御情報に示される要求データ領域が、（ｂ）のように画像ファイル８０の先頭バイトからヘッダ領域８２、サムネイル領域８４、実データ領域８６のすべてを包含した範囲である場合、この制御情報は画像全体を送信要求し、全画面表示を示唆することがわかる。
【００２５】
図７は、図５のＳ５８、Ｓ６８における再生モード時での判定処理の詳細な過程を示す。値Ｉに実データ領域８６を示す値が書き込まれ（Ｓ８０）、値Ｔにサムネイル領域８４を示す値が書き込まれる（Ｓ８２）。値Ｒには、要求データ領域が書き込まれる（Ｓ８４）。値Ｒに示される要求データ領域の範囲が、値Ｉに示される実データ領域８６の範囲を包含する場合（Ｓ８６Ｙ）、その制御情報は全画面表示を示すと判定し（Ｓ８８）、残りのステップをスキップする。値Ｒに示される要求データ領域の範囲が値Ｉに示される実データ領域８６の範囲を包含しない場合であって（Ｓ８６Ｎ）、値Ｒに示される要求データ領域の範囲が値Ｔに示されるサムネイル領域８４の範囲を包含する場合（Ｓ９０Ｙ）、制御情報はサムネイル表示を示すと判定して（Ｓ９２）、残りのステップをスキップする。値Ｒに示される要求データ領域の範囲が値Ｔに示されるサムネイル領域８４の範囲をも包含しない場合（Ｓ９０Ｎ）、制御情報はその他の指示またはその他の表示形態を示すと判定する（Ｓ９４）。
【００２６】
以上のように、撮像装置１２は表示処理装置２４に対して画像保存または画像再生に関する制御情報を送るが、その制御情報は表示内容の同期させるべきか否かを直接示すものではない。したがって、本実施形態の画像表示システム１０では、表示の同期とは本来無関係な情報を参照して同期すべきか否かを判断する点に特徴がある。これにより、ユーザは撮像装置１２に対して表示の同期に関する特別な操作をすることなく、適切に表示の同期を実施することができる。
【００２７】
（第２実施形態）
本実施形態の画像表示システム１０においては、第１実施形態の表示処理装置２４を画像ファイルサーバと液晶プロジェクタの組合せで構成させている点で第１実施形態と異なる。以下、第１実施形態との相違点を中心に説明する。
【００２８】
図８は、画像表示システム１０の基本的なネットワーク構成を示す。画像表示システム１０は、撮像装置１２、アクセスポイント１４、複数の液晶プロジェクタ１８、画像ファイルサーバ２５を含む。複数の液晶プロジェクタ１８、画像ファイルサーバ２５、アクセスポイント１４はＩＰネットワーク１６を介して接続されている。アクセスポイント１４は無線ネットワーク通信の基地局であり、撮像装置１２はアクセスポイント１４を介してＩＰネットワーク１６に接続される。液晶プロジェクタ１８と画像ファイルサーバ２５の組合せは、第１実施形態における表示処理装置２４に相当する構成である。撮像装置１２は、撮影画像をアクセスポイント１４経由で画像ファイルサーバ２５に保存し、その撮影画像を撮像装置１２と、複数の液晶プロジェクタ１８のいずれかに同期的に表示させる。
【００２９】
図９は、画像ファイルサーバ２５の構成を示す機能ブロック図である。画像ファイルサーバ２５は、通信部５０、指示取得部５２、画像取得部５４、画像送信部５６、画像格納部５８、表示処理部６０を含む。これら各部は、図２において同じ名称が付与された通信部３０、指示取得部３２、画像取得部３４、画像送信部４２、画像格納部３８、表示処理部４０のそれぞれとほぼ同様の機能を有する。但し、指示取得部５２は、撮像装置１２から取得した制御情報を表示処理部６０へ送り、表示処理部６０はこれをＩＰネットワーク１６経由で液晶プロジェクタ１８へ転送する。表示処理部６０はさらに、外部画面に表示すべき撮影画像を画像格納部５８から読み出し、これをＩＰネットワーク１６経由で液晶プロジェクタ１８へ送信する。
【００３０】
図１０は、液晶プロジェクタ１８の構成を示す機能ブロック図である。液晶プロジェクタ１８は、通信部７０、指示取得部７２、画像取得部７４、判定部７６、表示処理部７８を含む。これら各部は、図２において同じ名称が付与された通信部３０、指示取得部３２、画像取得部３４、判定部３６、表示処理部４０のそれぞれとほぼ同様の機能を有する。但し、指示取得部７２は制御情報を画像ファイルサーバ２５から取得し、画像取得部７４は同期的に表示すべき撮影画像を画像ファイルサーバ２５から取得する。判定部７６は、制御情報に基づき、撮影画像をスクリーンに同期表示させるべきかを判定し、同期させると判定したときは画像取得部７４に画像取得を指示する。画像取得部７４は、判定部７６の指示に基づいて画像ファイルサーバ２５から同期すべき画像を取得する。表示処理部７８は、判定部７６が同期させると判定したときに画像取得部７４が取得した画像をスクリーン表示させる。
【００３１】
以上の構成によっても第１実施形態と同様に外部表示に適した画像だけを同期させることができる。以下、第２実施形態の画像表示システム１０における各構成の動作を説明する。
【００３２】
図１１は、第２実施形態における撮像装置１２の電源投入直後における画像ファイルサーバ２５および液晶プロジェクタ１８との通信過程と動作モードの決定過程を示す。撮像装置１２の電源を投入すると（Ｓ１００）、撮像装置１２は画像ファイルサーバ２５へ接続要求を送信し（Ｓ１０２）、これに画像ファイルサーバ２５はその応答として複数の液晶プロジェクタ１８のリストを返信すると（Ｓ１０４）、撮像装置１２と画像ファイルサーバ２５の接続が確立されるとともに、撮像装置１２は複数の液晶プロジェクタ１８をリスト表示する（Ｓ１０６）。ユーザがリストからいずれかを選択すると（Ｓ１０８）、撮像装置１２はその選択情報を画像ファイルサーバ２５へ送信し（Ｓ１１０）、画像ファイルサーバ２５は選択情報に示される液晶プロジェクタ１８へ接続要求を送信する（Ｓ１１２）。これに対して液晶プロジェクタ１８が応答して接続が確立されると（Ｓ１１４）、画像ファイルサーバ２５はその旨を撮像装置１２へ応答する（Ｓ１１６）。撮像装置１２が画像ファイルサーバ２５から応答を受け取った後、撮像装置１２における動作モードとして、撮影モードがユーザによって選択されると（Ｓ１１８の「撮影モード」）、撮影シーケンスが開始される（Ｓ１２０）。ユーザによって再生モードが選択されると（Ｓ１１８の「再生モード」）、再生シーケンスが開始される（Ｓ１２２）。撮影シーケンスは図１２にて説明し、再生シーケンスは図１３にて説明する。
【００３３】
図１２は、図１１のＳ１２０における撮影シーケンスを示す。ユーザが撮像装置１２のシャッターボタンを押下すると（Ｓ１３０）、撮像装置１２は撮影画像の生成を処理し（Ｓ１３２）、ユーザがシャッターボタンの押下を維持する間（Ｓ１３４）、撮像装置１２はポストビューを表示する（Ｓ１３６）。ユーザがポストビュー画像で撮影を確定させると（Ｓ１３８Ｙ）、撮像装置１２はその撮影画像を制御情報とともに画像ファイルサーバ２５へ送信する（Ｓ１４０）。撮影画像を受信した画像ファイルサーバ２５はこれを保存する（Ｓ１４２）。Ｓ１３８において、ユーザがポストビュー画像で撮影を確定させなかった場合（Ｓ１３８Ｎ）、Ｓ１４０以降をスキップして撮影を終了する。
【００３４】
画像ファイルサーバ２５は、Ｓ１４２において撮影画像を保存した後、制御情報を液晶プロジェクタ１８へ送信し（Ｓ１４４）、液晶プロジェクタ１８はその制御情報をもとに同期表示すべきかを判定する（Ｓ１４６）。ここでは、撮影確定時における確認のための全画面表示が示唆されていると判定されるので、液晶プロジェクタ１８は画像ファイルサーバ２５へ撮影画像の送信を要求し（Ｓ１４８）、これに応答する形で画像ファイルサーバ２５は液晶プロジェクタ１８へ撮影画像を送信し（Ｓ１５０）、液晶プロジェクタ１８はこれをスクリーンに表示する（Ｓ１５２）。
【００３５】
図１３は、図１１のＳ１２２における再生シーケンスを示す。ユーザがサムネイル表示を指示すると（Ｓ１６０）、撮像装置１２は制御情報を画像ファイルサーバ２５へ送信し（Ｓ１６２）、これを画像ファイルサーバ２５は液晶プロジェクタ１８へ転送し（Ｓ１６４）、液晶プロジェクタ１８は撮像装置１２に表示される画像を液晶プロジェクタ１８でも同期的に表示するか否かを判定する（Ｓ１６６）。ここでは、サムネイル表示が制御情報に示唆されているので、液晶プロジェクタ１８は撮像装置１２の表示内容を同期しない。画像ファイルサーバ２５は、制御情報に基づいてサムネイル画像を撮像装置１２へ返信し（Ｓ１６８）、これを撮像装置１２が受信して表示する（Ｓ１７０）。なお、Ｓ１６０において複数のサムネイル画像をマルチ表示する指示がなされた場合は、Ｓ１６２からＳ１６８の処理を画像数の分だけ繰り返す。
【００３６】
サムネイル表示された画像からユーザが一つを選択して全画面表示を指示すると（Ｓ１７２）、撮像装置１２は制御情報を画像ファイルサーバ２５へ送信し（Ｓ１７４）、これを画像ファイルサーバ２５は液晶プロジェクタ１８へ転送し（Ｓ１７６）、液晶プロジェクタ１８は撮像装置１２で表示される画像を液晶プロジェクタ１８でも同期的に表示するか否かを判定する（Ｓ１８０）。ここでは、全画面表示が制御情報に示唆されているので、撮像装置１２に表示される撮影画像の送信を画像ファイルサーバ２５に要求し（Ｓ１８４）、画像ファイルサーバ２５はこれに応える形で撮影画像を液晶プロジェクタ１８へ送信し（Ｓ１８６）、これを液晶プロジェクタ１８が同期的に表示する（Ｓ１８８）。一方、画像ファイルサーバ２５は制御情報に基づいて撮影画像を撮像装置１２に返信し（Ｓ１７８）、これを撮像装置１２が受信して全画面表示する（Ｓ１８２）。
【００３７】
以上、本発明を実施の形態をもとに説明した。この実施の形態は例示であり、その各構成要素や各処理プロセスの組合せにいろいろな変形例が可能なこと、またそうした変形例も本発明の範囲にあることは当業者に理解されるところである。
【００３８】
第２実施形態においては、液晶プロジェクタ１８へ画像を同期させるか否かについて液晶プロジェクタ１８が判定する構成を説明した。変形例においては、その判定を画像ファイルサーバ２５が行う構成としてもよい。この場合、画像ファイルサーバ２５は、撮像装置１２の画面における表示形態が同期されるべき形態であると判定したときに、液晶プロジェクタ１８へ撮影画像を送信する。
【００３９】
各実施形態においては、撮像装置１２で撮影された画像を表示処理装置２４または画像ファイルサーバ２５へ転送して記憶させる構成とした。変形例においては、撮像装置１２は撮影画像をそのまま撮像装置１２の内部に保持してもよい。その場合、第１実施形態の表示処理装置２４は主に外部表示のみをその機能としてもたせ、実質的に液晶プロジェクタ１８と同様に機能させればよい。撮像装置１２は、外部表示装置としての表示処理装置２４または液晶プロジェクタ１８へ撮影画像と制御情報を送信し、この制御情報をもとに同期表示させるべきかが判定される。
【００４０】
各実施形態においては、制御情報に含まれるイベント通知や引数に基づいて撮像装置１２における表示形態を判定する構成とした。引数としては特にデータ領域の範囲を例示したが、変形例においては、転送を指示するデータのサイズ、ファイル名、ファイル形式等の属性を引数とし、そのような引数に基づいて撮像装置１２の表示形態を判定してもよい。また、イベント通知としては、撮影画像の保存と再生を主に想定したが、変形例においては画像の加工に関するイベント通知であってもよい。その場合の引数としては加工する領域範囲や座標、拡大縮小倍率等がある。
【００４１】
さらに、撮像装置１２において、複数の画像を数秒おきに切り替えて連続表示する、いわゆるスライドショーを実行する場合、イベント通知としては通常の再生時と同様の内容が撮像装置１２から表示処理装置２４または画像ファイルサーバ２５へ数秒おきに送られる。したがって、上記の各実施形態に説明した構成でスライドショーの同期も実現できる。
【００４２】
各実施形態における表示処理装置２４、画像ファイルサーバ２５、液晶プロジェクタ１８は、それぞれ同期させるべき形態であった場合にのみ同期表示を実行する構成とした。変形例における表示処理装置２４、画像ファイルサーバ２５、液晶プロジェクタ１８は、上記実施形態のように一定の場合にのみ同期させるモードと、すべての表示内容を同期させるモードと、を切り替える手段を備える構成としてもよい。
【００４３】
各実施形態においては、主に静止画の同期表示を想定して説明したが、変形例では、動画の同期表示において同期すべきか否かを同様の基準で判定する構成としてもよい。
【図面の簡単な説明】
【００４４】
【図１】画像表示システムの基本的なネットワーク構成を示す図である。
【図２】表示処理装置の構成を示す機能ブロック図である。
【図３】撮像装置の電源投入直後における表示処理装置との通信過程と動作モードの決定過程を示す図である。
【図４】図３のＳ１８における撮影シーケンスを示す図である。
【図５】図３のＳ２０における再生シーケンスを示す図である。
【図６】画像格納部に格納される画像ファイルのデータ構造を示す図である。
【図７】図５のＳ５８、Ｓ６８における再生モード時での判定処理の詳細な過程を示す図である。
【図８】画像表示システムの基本的なネットワーク構成を示す図である。
【図９】画像ファイルサーバの構成を示す機能ブロック図である。
【図１０】液晶プロジェクタの構成を示す機能ブロック図である。
【図１１】第２実施形態における撮像装置の電源投入直後における画像ファイルサーバおよび液晶プロジェクタとの通信過程と動作モードの決定過程を示す図である。
【図１２】図１１のＳ１２０における撮影シーケンスを示す図である。
【図１３】図１１のＳ１２２における再生シーケンスを示す図である。
【符号の説明】
【００４５】
１０  画像表示システム、  １２  撮像装置、  ２４  表示処理装置、  ３２  指示取得部、  ３４  画像取得部、  ３６  判定部、  ４０  表示処理部、  ５２  指示取得部、  ５４  画像取得部、  ６０  表示処理部、  ７２  指示取得部、  ７４  画像取得部、  ７６  判定部、  ７８  表示処理部。
【図１】
2005094570.tif 000003
【図２】
2005094570.tif 000004
【図３】
2005094570.tif 000005
【図４】
2005094570.tif 000006
【図５】
2005094570.tif 000007
【図６】
2005094570.tif 000008
【図７】
2005094570.tif 000009
【図８】
2005094570.tif 000010
【図９】
2005094570.tif 000011
【図１０】
2005094570.tif 000012
【図１１】
2005094570.tif 000013
【図１２】
2005094570.tif 000014
【図１３】
2005094570.tif 000015